(57)【要約】【課題】  より興趣に富み、遊び方のバリエーションを増やすことができる自動車玩具を提供する。【解決手段】  車体フレーム上に設けられた荷台を有する自動車玩具であって、上記荷台は平板状の荷台本体と、上記荷台本体の両側に回動可能に設けられ、荷台本体の両側に立設されうる一対の側方遮蔽板と、荷台本体の後方側に回動可能に設けられ、荷台本体の後端部に立設されうる後方遮蔽板とを有し、必要時には上記側方遮蔽板及び後方遮蔽板を開くことにより荷台を開放することができるように構成されている。【選択図】  図１
0003157941.tif 000002
【実用新案登録請求の範囲】
【請求項１】
車体フレーム上に設けられた荷台を有する自動車玩具であって、上記荷台は平板状の荷台本体と、上記荷台本体の両側に回動可能に設けられ、荷台本体の両側に立設されうる一対の側方遮蔽板と、荷台本体の後方側に回動可能に設けられ、荷台本体の後端部に立設されうる後方遮蔽板とを有し、必要時には上記側方遮蔽板及び後方遮蔽板を開くことにより荷台を開放することができるように構成されていることを特徴とする自動車玩具。
【請求項２】
上記側方遮蔽板は、下端部に設けられたヒンジ部により上記荷台本体に回動可能に取り付けられ、上記荷台本体の前端部に形成された仕切り板の車体幅方向両端部に係合することにより荷台本体の車体幅両側部に立設されると共に、上記後方遮蔽板は、下端部に設けられたヒンジ部により上記荷台本体に回動可能に取り付けられ、上記両側板の後端部に係合することにより荷台本体の後端部に立設されることを特徴とする請求項１記載の自動車玩具。
【請求項３】
上記側方遮蔽板は、上記仕切り板との係合が解除された場合には、回動して上記車体フレーム両側に垂下されると共に、上記後方遮蔽板は上記両側板との係合が解除された場合には、回動して上記車体フレーム後方に垂下されることを特徴とする請求項２記載の自動車玩具。
【請求項４】
上記仕切り板の両端部には係合突部が設けられると共に上記側方遮蔽板には上記係合突部に係合する係合凹部が形成され、上記側方遮蔽板の後端部には係合突部が形成されると共に上記後方遮蔽板の車体幅方向両端部には上記係合突部に係合する係合凹部が形成されていることを特徴とする請求項２記載の自動車玩具。
【請求項５】
上記自動車玩具はトラック車両として形成されていることを特徴とする請求項１記載の自動車玩具。
【考案の詳細な説明】
【技術分野】
【０００１】
本考案は自動車玩具の改良に関する。
【背景技術】
【０００２】
一般に、様々な形態の自動車玩具が販売されており、自動車玩具にはトラック車両として構成されているものもある。このようなトラック車両として構成された自動車玩具は、キャビン部の後方に荷台を有している。
【０００３】
このような荷台は、一般に、長方形の荷台本体と、上記荷台本体の周縁部に立設して設けられた側方遮蔽板と後方遮蔽板とにより構成されているが、従来は側方遮蔽板及び後方遮蔽板は荷台に回動不可能な状態で固定されていた。
従って、このような従来のトラック車両型の自動車玩具を使用して子供が遊戯した場合であっても、車輪の回転を利用して床面上で動かして遊ぶ等、遊び方も限定されていた。
【０００４】
そこで、従来より、より興趣に富み、遊び方のバリエーションを増やすことができる自動車玩具が要請されていた。
【考案の開示】
【考案が解決しようとする課題】
【０００５】
本考案は上記要請に応えるものであり、その課題は、より興趣に富み、遊び方のバリエーションを増やすことができる自動車玩具を提供することにある。
【課題を解決するための手段】
【０００６】
そこで、請求項１記載の考案にあっては、車体フレーム上に設けられた荷台を有する自動車玩具であって、上記荷台は平板状の荷台本体と、上記荷台本体の両側に回動可能に設けられ、荷台本体の両側に立設されうる一対の側方遮蔽板と、荷台本体の後方側に回動可能に設けられ、荷台本体の後端部に立設される後方遮蔽板とを有し、必要時には上記側方遮蔽板及び後方遮蔽板を開くことにより荷台を開放することができるように構成されていることを特徴とする。
【０００７】
従って、請求項１記載の考案にあっては、上記側方遮蔽板及び後方遮蔽板を開いた場合にはフラットな荷台本体のみが車体上に表出する。
【０００８】
請求項２記載の考案にあっては、上記側方遮蔽板は、下端部に設けられたヒンジ部により回動可能に上記荷台本体に取り付けられ、上記荷台本体の前端部に形成された仕切り板の車体幅方向両端部に係合することにより荷台本体の車体幅両側部に立設されると共に、上記後方遮蔽板は、下端部に設けられたヒンジ部により上記荷台本体に回動可能に取り付けられ、上記両側板の後端部に係合することにより荷台本体の後端部に立設されることを特徴とする。
【０００９】
従って、請求項２記載の考案にあっては、上記側方遮蔽板は荷台本体の前端部に形成された仕切り板の車体幅方向両端部に係合させることにより荷台本体の両側部に立設することができると共に上記係合を解除することにより側方遮蔽板を開くことができる。また、上記後方遮蔽板は上記側方遮蔽板と係合させることにより荷台本体の後端部に立設することができると共に上記係合を解除することにより後方遮蔽板を開くことができる。
【００１０】
請求項３記載の考案にあっては、上記側方遮蔽板は、上記仕切り板との係合が解除された場合には、回動して上記車体フレーム両側に垂下されると共に、上記後方遮蔽板は上記両側板との係合が解除された場合には、回動して上記車体フレーム後方に垂下されることを特徴とする。
従って、請求項３記載の考案にあっては、上記側方遮蔽板及び上記後方遮蔽板の係合が解除された場合には、いずれも車体側方に垂下されることから、実車と同様な外観品質を提供することができる。
【００１１】
請求項４記載の考案にあっては、上記仕切り板の両端部には係合突部が設けられると共に上記側方遮蔽板には上記係合突部に係合する係合凹部が形成され、上記側方遮蔽板の後端部には係合突部が形成されると共に上記後方遮蔽板の車体幅方向両端部には上記係合突部に係合する係合凹部が形成されていることを特徴とする。
【００１２】
請求項５記載の考案にあっては、上記自動車玩具はトラック車両として形成されていることを特徴とする。
【考案の効果】
【００１３】
請求項１〜５記載の考案にあっては、上記側方遮蔽板及び後方遮蔽板を開くことができるため、子供が本考案に係る自動車玩具で遊んだ場合には、従来の側方遮蔽板及び後方遮蔽板が固定された自動車玩具に比して可動部分があり、より興趣に富む。
また、側方遮蔽板及び後方遮蔽板を開いた場合には、荷台本体上に様々なものを載せやすく、遊び方のバリエーションを増やすことができる
【００１４】
請求項２記載の考案にあっては、上記効果に加えて、上記側方遮蔽板は荷台本体の前端部に形成された仕切り板の車体幅方向両端部に係合させることにより荷台本体の両側部に立設することができると共に上記係合を解除することにより側方遮蔽板を開くことができると共に、上記後方遮蔽板は上記側方遮蔽板と係合させることにより荷台本体の後端部に立設することができると共に上記係合を解除することにより開くことができることから、遊戯者は容易に側方遮蔽板及び後方遮蔽板の立設及び開放を行うことができ、上記記載の効果に加えて、より興趣が深まる。
【００１５】
請求項３記載の考案にあっては、上記効果に加えて、上記側方遮蔽板及び上記後方遮蔽板の係合が解除された場合には、いずれも車体側方に垂下されることから、実車と同様な外観品質を提供することができる。
【図面の簡単な説明】
【００１６】
【図１】本考案の一実施の形態に係る自動車玩具を示す斜視図であって、側方遮蔽板及び後方遮蔽板を立設した状態を示す図である。
【図２】本考案の一実施の形態に係る自動車玩具を示す斜視図であって、側方遮蔽板及び後方遮蔽板を開いた状態を示す図である。
【考案を実施するための最良の形態】
【００１７】
以下、添付図面に示す実施の形態に基づき本考案を詳細に説明する。
図１及び図２に示すように、本実施の形態に係る自動車玩具１０は、トラック車両として形成されており、車体フレーム１１の前端部に配置されたキャビン部２０と、上記キャビン部２０の後方に配置された荷台部１２とを有している。
【００１８】
上記荷台部１２は平板長方形状の荷台本体１３と、上記荷台本体１３の両側にヒンジ部１７、１７を介して回動可能に設けられ、荷台本体１３の両側に立設されうる一対の側方遮蔽板１４、１５と、上記荷台本体１３の後方側にヒンジ部１７、１７を介して回動可能に設けられ、上記荷台本体１３の後端部に立設されうる後方遮蔽板１６とを有し、必要時には、上記ヒンジ部１７、１７により上記側方遮蔽板１４、１５及び後方遮蔽板１６を開くことにより荷台を開放することができるように構成されている。
【００１９】
上記キャビン部２０の後方には仕切り板２１が設けられ、上記仕切り板２０の車体幅方向両端部には係合突部１８、１８が設けられると共に上記側方遮蔽板１４、１５の車体前後方向両端部には、上記係合突部１８、１８に係合する係合凹部１９、１９が形成されている。
【００２０】
その結果、上記側方遮蔽板１４、１５は上記荷台本体１３の前端部に形成された仕切り板１７の上記係合突部１８、１８に係合することにより荷台本体１１の車体幅両側部に立設される。
【００２１】
また、上記側方遮蔽板１４、１５の車体前後方向後端部には係合突部２３、２３が形成されると共に上記後方遮蔽板１６の車体幅方向両端部には上記係合突部２３、２３に係合する係合凹部２４、２４が形成されており、上記後方遮蔽板１６は、上記側方遮蔽板１４、１５の後端部に形成された上記係合凹部２４，２４に係合することにより上記荷台本体１３の後端部に立設されるように構成されている。
【００２２】
また、上記一対の側方遮蔽板１４、１５は、上記仕切り板２１との係合が解除された場合には、略１８０度回動して上記車体フレーム１１の両側に垂下されると共に、上記後方遮蔽板１６は上記両側遮蔽板１４、１５との係合が解除された場合には、同様に、１８０度回動して上記車体フレーム１１後方に垂下されるように構成されている。
【００２３】
従って、本実施の形態に係る自動車玩具１０にあっては、例えば子供がこの自動車玩具で遊戯した場合、単に、床上等を車輪により転がして遊ぶのみならず、荷台部１２を形成する側方遮蔽板１４、１５及び後方遮蔽板１６を開いて車体フレーム１１の側方に垂下させたり、再度、荷台本体１３上に立設させたりすることにより、荷台部１２において様々な形態の遊戯を行うことができ、遊びのバリエーションを増やすことができ、子供の遊びに関する興趣を増大させることが可能となる。
【００２４】
なお、本実施の形態にあっては、本考案に係る自動車玩具をトラック車両に適用した場合を例に説明したが、上記実施の形態に限定されず、荷台部を備えた自動車玩具であればよい。
【産業上の利用可能性】
【００２５】
本考案は、広く自動車玩具に適用することができる。
【符号の説明】
【００２６】
１０  自動車玩具
１１  車体フレーム
１２  荷台部
１３  荷台本体
１４  側方遮蔽板
１５  側方遮蔽板
１６  後方遮蔽板
１７  ヒンジ部
１８  係合突部
１９  係合凹部
２０  キャビン部
２１  仕切り版
２３  係合突部
２４  係合凹部
【図１】
0003157941.tif 000003
【図２】
0003157941.tif 000004